(57)【特許請求の範囲】
【請求項１】
建築物の外部に露出した配管に配管カバーを被覆固定する構造に於て、
前記露出配管の周りに一対の第１、第２取付金具を挟持固定し、かつ該露出配管に配管カバーを被覆すると共に該配管カバーを前記第１、第２取付金具に固定する構成であって、
前記一対の第１、第２取付金具を径の異なる数種類の前記露出配管の周りに挟持固定するに当って、
一対の取付アングルの引っ掛け爪を、前記露出配管の外径に応じて、前記第２取付金具の一対の垂直起立片に設けられた複数の上下方向に異なる位置の孔のうちのいずれか１つに係止させ、
前記取付アングルと、前記第１取付金具とをネジによって締め付けて相互に連結することを特徴とした配管カバーの取付構造。
【請求項２】
建築物の外部に露出した配管に配管カバーを被覆固定する構造に於て、
前記露出配管の周りに一対の第１、第２取付金具を挟持固定し、かつ該露出配管に配管カバーを被覆すると共に該配管カバーを前記第１、第２取付金具に固定する構成であって、
前記一対の第１、第２取付金具を径の異なる数種類の前記露出配管の周りに挟持固定するに当って、
前記露出配管の外径に応じて、
一対の取付アングルの引っ掛け爪を、前記第２取付金具の一対の垂直起立片に設けられた孔に係止させ、前記取付アングルと、前記第１取付金具とをネジによって締め付けて相互に連結するか、
または前記一対の取付アングルを介さずに前記第２取付金具と、前記第１取付金具とをネジによって締め付けて相互に連結するか、選択できることを特徴とした配管カバーの取付構造。
【請求項３】
前記一対の第１、第２取付金具の内の片方の取付金具をＵ型帯金具、或はＶ型帯金具、または板状金具とし、もう他方の取付金具をＵ型帯金具、或はＶ型帯金具、または板状金具とし、これら、何れかの取付金具を相互に組合せて構成することを特徴とした請求項１または請求項２に記載の配管カバーの取付構造。
【請求項４】
前記一対の第１、第２取付金具を前記露出配管の周りに固定するに当って、前記一対の第１、第２取付金具に穿設されたネジ孔にネジを挿通すると共に、該ネジの先端部を直接或は間接的に前記露出配管に当接することによって、前記一対の第１、第２取付金具を前記露出配管の周りに強固に固定することを特徴とした請求項１乃至請求項３の何れか１項に記載の配管カバーの取付構造。
【請求項５】
前記露出配管の周りに挟持固定された前記一対の第１、第２取付金具に前記配管カバーを被覆固定するに当って、該配管カバーの側面に設けられた取付穴にネジを挿通すると共にそのネジの先端部を前記一対の第１、第２取付金具のネジ孔に螺合して構成することを特徴とした請求項１乃至請求項４の何れか１項に記載の配管カバーの取付構造。
【発明の詳細な説明】
【０００１】
【発明の属する利用分野】
本発明は建築物の外部に露出された配管の周りに配管カバーを取付ける構造に係り、特に一対の取付金具を露出配管の周りに挟持固定すると共に、配管カバーを該取付金具に固定して構成することを特徴とした配管カバーの取付構造に関するものである。
【０００２】
【従来の技術】
現在、建築物のキッチン、浴室、便所等の排水用配管は、床下の地面下を通り、基礎を貫通して排水升に導入するという方法が広く用いられている。しかし、建築物のメンテナンス性を考慮した場合、この方法では配管は点検・補修が出来ないという問題がある。
【０００３】
この問題点を解決する手段としては、配管を床下の地面上を通し、基礎を貫通して、一旦外部に露出させた後、地面下に通して排水升に導入するという方法がある。この方法の場合、配管が外部に露出するので、意匠上好ましくない。従って、意匠性を向上させるためにはカバー（配管カバー）を要する。
【０００４】
【発明が解決しようとする課題】
この配管カバーの取付方法として、基礎にネジ等で止め付ける事とすると、基礎はコンクリートで出来ているので、予め基礎にドリルでネジ用の下孔を開けなければならない。従って、この方法は施工が容易ではなく、また、基礎がひび割れする要因ともなりうるという問題があった。また、建築物の配管には丸パイプが使用され、その径の種類は複数であるので、これ等の種々の丸パイプに配管カバーを簡単かつ強固に取付固定することは困難である問題があった。
【０００５】
建築物の外方に露出した配管にカバーを被覆する公知技術としては、例えば特開平７−９７８１９号公報、特開平８−３２６２８６号公報、特開平１１−２１０９５３号公報、特開２０００−１９２６４４号公報、実開平６−３９０２９号公報或は実用新案登録第３０２０７１８号公報等に示す技術が知られている。
【０００６】
然るに、前述のような多くの公知技術は、本発明のように建築物が配設された配管の一部が建築物から露出しており、かつ該配管が異なる数種類の径より構成されているような場合には、有効に利用することが出来ない問題があった。
【０００７】
本発明に係る配管カバーの取付構造は、前述の多くの問題点に鑑み開発された全く新しい技術であって、特に建築物から露出した配管の周りに一対の取付金具を挟持固定し、かつ該配管の露出された部分に配管カバーを被覆し、さらに配管カバーを前記一対の取付金具に固定するようにした配管カバーの取付構造に関する技術である。
【０００８】
【課題を解決するための手段】
本発明に係る配管カバーの取付構造は、前述の問題点を根本的に改善した発明であって、その第１発明の要旨は、建築物の外部に露出した配管に配管カバーを被覆固定する構造に於て、前記露出配管の周りに一対の第１、第２取付金具を挟持固定し、かつ該露出配管に配管カバーを被覆すると共に該配管カバーを前記第１、第２取付金具に固定する構成であって、前記一対の第１、第２取付金具を径の異なる数種類の前記露出配管の周りに挟持固定するに当って、一対の取付アングルの引っ掛け爪を、前記露出配管の外径に応じて、前記第２取付金具の一対の垂直起立片に設けられた複数の上下方向に異なる位置の孔のうちのいずれか１つに係止させ、前記取付アングルと、前記第１取付金具とをネジによって締め付けて相互に連結することを特徴とした配管カバーの取付構造である。
【０００９】
前述の第１発明に於ては、建築物から露出した配管に一対の第１、第２取付金具を挟持固定し、露出した配管に配管カバーを被覆し、かつ配管カバーを前記一対の第１、第２取付金具に固定するように構成したので、配管の露出部分に配管カバーを体裁良くかつ簡単確実に取付固定することが出来る。
【００１０】
また、前記一対の第１、第２取付金具を露出配管の周りに挟持固定する際に、両方の第１、第２取付金具をネジによって締め付けることによって相互に連結するように構成したので、簡単なネジを締め付ける作業で両者を相互に連結固定することが出来、しかも径の異なる種々の配管にも全て対応することが出来る。
【００１１】
本発明の第２発明の要旨は、建築物の外部に露出した配管に配管カバーを被覆固定する構造に於て、前記露出配管の周りに一対の第１、第２取付金具を挟持固定し、かつ該露出配管に配管カバーを被覆すると共に該配管カバーを前記第１、第２取付金具に固定する構成であって、前記一対の第１、第２取付金具を径の異なる数種類の前記露出配管の周りに挟持固定するに当って、前記露出配管の外径に応じて、一対の取付アングルの引っ掛け爪を、前記第２取付金具の一対の垂直起立片に設けられた孔に係止させ、前記取付アングルと、前記第１取付金具とをネジによって締め付けて相互に連結するか、または前記一対の取付アングルを介さずに前記第２取付金具と、前記第１取付金具とをネジによって締め付けて相互に連結するか、選択できることを特徴とした配管カバーの取付構造である。
【００１２】
本発明の第３発明の要旨は、前記一対の第１、第２取付金具の内の片方の取付金具をＵ型帯金具、或はＶ型帯金具、または板状金具とし、もう他方の取付金具をＵ型帯金具、或はＶ型帯金具、または板状金具とし、これら、何れかの取付金具を相互に組合せて構成することを特徴とした第１、第２発明の配管カバーの取付構造である。
【００１３】
前述の第３発明に於ては、建築物より露出した配管に取付られる一対の第１、第２取付金具を、Ｕ型帯金具、或はＶ型帯金具、または板状金具の組合せにしたので、これ等一対の第１、第２取付金具を露出配管の両側に配して組合せながら挟持することによって、径の異なる種々の配管にも対応して簡単に取付固定することが出来る。
【００１４】
本発明に係る第４発明の要旨は、前記一対の第１、第２取付金具を前記露出配管の周りに固定するに当って、前記一対の第１、第２取付金具に穿設されたネジ孔にネジを挿通すると共に、該ネジの先端部を直接或は間接的に前記露出配管に当接することによって、前記一対の第１、第２取付金具を前記露出配管の周りに強固に固定することを特徴とした第１発明乃至第３発明の何れか１つの配管カバーの取付構造である。
【００１５】
前述の第４発明に於ては、露出配管の周りに固定された一対の取付金具のネジ孔にネジが挿通され、かつ挿通されたネジの先端部が露出配管の周りに直接或は間接的に当接されているので、該取付金具を露出配管との間に形成される隙間を該ネジによって埋めることが出来、これによって一対の取付金具を露出配管に安定した状態で強固に取付固定することが出来る。
【００１６】
本発明に係る第５発明の要旨は、前記露出配管の周りに挟持固定された前記一対の第１、第２取付金具に前記配管カバーを被覆固定するに当って、該配管カバーの側面に設けられた取付穴にネジを挿通すると共にそのネジの先端部を前記一対の第１、第２取付金具のネジ孔に螺合して構成することを特徴とした第１発明乃至第４発明の何れか１つの配管カバーの取付構造である。
【００１７】
前述の第５発明に於ては、露出配管に被覆される配管カバーの側面に取付穴が設けられているので、この取付穴を利用してその取付穴内にネジを挿通し、該ネジの先端を一対の取付金具のネジ孔に螺合することによって、配管カバーを露出配管の周りに簡単に取付固定することが出来る。
【００１８】
【発明の実施の形態】
図により本発明に係る配管カバーの取付構造の一実施例を具体的に説明すると、図１は本発明の第１実施例を示す斜視説明図、図２は図１の取付金具の要部を示す斜視説明図、図３は図１の一対の取付金具を示す斜視説明図、図４は図３の一対の取付金具を組立てる状態の斜視説明図である。
【００１９】
図５は図４の一対の取付金具を配管に強固に固定する状態の斜視説明図、図６（ａ）、（ｂ）、（ｃ）は夫々配管カバーの斜視説明図、図７（ａ）、（ｂ）、（ｃ）は夫々径の異なる配管の周りに第１実施例の一対の取付金具及び配管カバーを挟持固定した状態の斜視説明図である。
【００２０】
図８（ａ）、（ｂ）は第２実施例の取付金具を示す斜視説明図、図９（ａ）、（ｂ）、（ｃ）は図８の取付金具を径の異なる配管の周りに取付けた状態の断面説明図である。
【００２１】
図１０（ａ）、（ｂ）は第３実施例の取付金具を示す斜視説明図、図１１（ａ）、（ｂ）は図１０の取付金具を取付ける状態の説明図、図１２（ａ）、（ｂ）、（ｃ）は図１０の取付金具を径の異なる配管の周りに取付けた状態の断面説明図である。
【００２２】
図１乃至図７（ａ）、（ｂ）、（ｃ）に於て、本発明に係る配管カバーの取付構造の第１実施例について説明すると次の通りである。この第１実施例は一対の取付金具をＵ型帯金具の組合せによって構成する実施例を示すものである。
【００２３】
即ち第１実施例に於ては、一対の取付金具を第１Ｕ型帯金具１と第２Ｕ型帯金具２とによって構成されている。第１Ｕ型帯金具１は特に図２及び図３に示す如く、使用に当たっては逆Ｕ状になるように裏返して使用されるものであって、その背部両側に夫々取付アングル３、４を夫々取付けることが出来る孔５ａが穿設されている。
【００２４】
該取付アングル３、４の水平片にも夫々ネジ孔６が穿設されている。また、取付アングル３、４の垂直片には夫々引っ掛け爪３ａ、４ａが外側に向って突設されている。７は前記孔５ａに挿通し、ネジ６に螺合し得るネジである。
【００２５】
第１Ｕ型帯金具１の背部中央部には４個のネジ孔８が左右対象的に配列されて設けられている。この第１Ｕ型帯金具１の内面側には前記ネジ孔８に対応する位置にパイプ保護材９が仮着されている。また、第１Ｕ型帯金具１の両側の垂直片１０にも複数のネジ孔１１が穿設されている。
【００２６】
前記第２Ｕ型帯金具２は、特に図３に示す如く、その底部両側には前記ネジ７が螺合し得るネジ孔５が穿設されている。また、その垂直起立片１２には前記取付アングル３、４の引っ掛け爪３ａ、４ａを引掛けることが出来る複数の孔１３が上下方向に配列されて穿設されている。
【００２７】
次に、前述の第１実施例の一対のＵ型帯金具１、２を使用して、配管カバー１４を建物の外部に露出された配管１５に被覆固定する構造について、図１、図３乃至図５を参照して詳述する。
【００２８】
先ず取り付けアングル３、４をネジ７とネジ孔６とを介して第１Ｕ型帯金具１の両側内面に取付ける。そして一対のＵ型帯金具１、２を配管１５の上下に配置し、これ等の一対のＵ型帯金具１、２で配管１５を上下方向から挟持し、かつ第１Ｕ型帯金具１に取付けられた取付アングル３、４の引っ掛け爪３ａ、４ａを、垂直起立片１２の複数の孔１３内の対応する位置の孔１３に引っ掛け、さらにネジ７を締め付けることによって係止することによって、一対のＵ型帯金具１、２を相互に連結して配管１５に取付固定することが出来る。
【００２９】
配管１５とこの周りに取付けられた第１Ｕ型帯金具１との間に隙間が生じた場合には、特に図５或は図７（ａ）、（ｂ）、（ｃ）に示す如く、第１Ｕ型帯金具１のネジ孔８にゆるみ止めネジ１６を螺合し、そのゆるみ止めネジ１６の先端部で第１Ｕ型帯金具１の背部内面に仮着されていたパイプ保護材９を移動させて、このパイプ保護材９を配管１５の外周面に密着させることによって、一対のＵ型帯金具１、２を配管１５の周りにより強固に固着することが出来る。前記パイプ保護材９は必要に応じて省略し、ゆるみ止めネジ１６の先端部を配管１５の外周面に直接当接するように構成することも可能である。
【００３０】
本発明の第１実施例に於ては、一対のＵ型帯金具１、２で配管１５の上下方向から挟持するように構成したので、図７（ａ）、（ｂ）、（ｃ）に示す如く、配管１５の径が異なる場合にも簡単に対応させることが出来る。
【００３１】
即ち、図７（ａ）に示す如く、配管１５の径が大きい場合には、第１Ｕ型帯金具１に取付けられた取付アングル３、４の引っ掛け爪３ａ、４ａを夫々第２Ｕ型帯金具２の垂直起立片１２に設けられた上方の孔１３に係止することによって、一対のＵ型帯金具１、２を配管１５の周りに挟持固定することが出来る。
【００３２】
配管１５の径が中位の場合には、図７（ｂ）に示す如く、取付アングル３、４の引っ掛け爪３ａ、４ａを夫々垂直起立片１２の下方に設けられた孔１３に係止することによって、一対のＵ型帯金具１、２を配管１５の周りに挟持固定することが出来る。かつ、配管１５の径が小さい場合には、図７（ｃ）に示す如く、前記取付アングル３、４を第１Ｕ型帯金具１より取り外し、第１Ｕ型帯金具１と第２Ｕ型帯金具２との両側に夫々穿設された孔５ａ、ネジ孔５にネジ７を直接挿通することによって、一対のＵ型帯金具１、２を配管１５の周りに挟持固定することが出来る。
【００３３】
前記配管１５の周りに被覆される配管カバー１４は、図６（ａ）、（ｂ）、（ｃ）に示す如く、角筒形、扇筒形、楕円筒形など種々の形状のものが使用出来る。これ等の配管カバー１４の側面にはスリット状の取付穴１７が穿設されている。また、配管カバー１４の下端縁にはゴム台座１８が取付けられている。配管カバー１４を前記一対のＵ型帯金具１、２に取付固定するに当っては、図１或は図７（ａ）、（ｂ）、（ｃ）に示すネジ１９を取付穴１７に挿通し、その先端部を第１Ｕ型帯金具１の垂直片１０に設けられたネジ孔１１に螺合することによって、配管カバー１４を配管１５の周りに取付固定することが出来る。
【００３４】
前記第１実施例に於ては、一対のＵ型帯金具１、２を使用して配管カバー１４を配管１５の周りに取付固定したが、図８（ａ）、（ｂ）及び図９（ａ）、（ｂ）、（ｃ）に示す第２実施例の如く、Ｕ型帯金具２０とＶ型帯金具２１とを組合せて使用することによって、配管１５の周りに配管カバー１４を取付固定することが出来る。
【００３５】
第２実施例の場合には、逆Ｕ字状に配置されたＵ型帯金具２０の下部開放部にＶ型帯金具２１を挿入して、順にこのＶ型帯金具２１を上方にスライドしながらＵ型帯金具２０とＶ型帯金具２１とによって配管１５を上下方向から挟持する構造である。
【００３６】
Ｕ型帯金具２０の両側縁には夫々複数のネジ孔２２が上下方向に配列されている。Ｕ型帯金具２０の前面に一体的に突設されたアングル材状のカバー取付部２３には、ネジ孔２４が穿設されている。かつ、Ｕ型帯金具２０の背部中央にはゆるみ止めネジ１６を螺合し得るネジ孔２５が穿設されている。また、Ｖ型帯金具２１の両端折曲部２１ａにはネジ孔２２が穿設されている。
【００３７】
第２実施例のＵ型帯金具２０とＶ型帯金具２１とを用いて配管１５の周りに配管カバー１４を取付固定するに当っては、特に図９（ａ）、（ｂ）、（ｃ）に示す如く、Ｕ型帯金具２０とＶ型帯金具２１とによって配管１５を上下方向から挟持し、Ｖ型帯金具２１の両端部のネジ孔２２とＵ型帯金具２０の両側の所定位置のネジ孔２２とを相互に合致させ、これ等のネジ孔２２にネジ２６を螺合することによって、種々の異なる径を持った配管１５の周りにＵ型帯金具２０とＶ型帯金具２１を挟持固定することが出来る。
【００３８】
次に配管１５に配管カバー１４を被覆した後で、ネジ１９を配管カバー１４の取付穴１７に挿通しながら、その先端部をＵ型帯金具２０のカバー取付部２３のネジ孔２４に螺合することによって、配管カバー１４を配管１５の周りに取付固定することが出来る。前記ネジ孔２５にはゆるみ止めネジ１６を挿通することによって、Ｕ型帯金具２０を配管１５に強固に固定することが出来る。
【００３９】
前記第１実施例或は第２実施例に於ては、取付金具としてＵ型帯金具１、２、２０或はＶ型帯金具２１を組合せて使用して構成したが、第３実施例の図１０（ａ）、（ｂ）、（ｃ）乃至図１２（ａ）、（ｂ）、（ｃ）に示す如く、取付金具として一対の板状金具２７、２８を組合せて構成することが出来る。
【００４０】
即ち、本発明の第３実施例に於ては、側面所定位置にスリット状の長穴２９が夫々穿設された２枚の板状金具２７、２８と、２本の長ネジ３０及びナット３１とを組合せることによって、取付金具を配管１５に挟持固定することが出来る。前記長穴２９は必要に応じて円孤状の長穴に形成することも可能である。
【００４１】
さらに、配管カバー１４を取付金具に取付固定する場合には、両端折曲部３２にネジ孔３３を有しかつその途中の中央部に複数のネジ孔３４を有するバー状のカバー取付金具３５を使用することによって、該カバー取付金具３５を介して配管カバー１４を２枚の板状金具２７、２８に取付固定することが出来る。
【００４２】
第３実施例の組立に当っては、図１１（ａ）、（ｂ）及び図１２（ａ）、（ｂ）、（ｃ）に示す如く２枚の板状金具２７、２８を配管１５の両側に配置し、板状金具２７、２８の長孔２９に長ネジ３０を挿通し、この長ネジ３０にナット３１を螺合して締め付けることによって、２枚の板状金具２７、２８で径の異なる数種類の配管１５を左右から挟持して、板状金具２７、２８を配管１５に取付固定することが出来る。
【００４３】
配管カバー１４を配管１５の周りに被覆して固定する場合には、先ず２枚の板状金具２７、２８の折曲縁２７ａ、２８ａにカバー取付金具３５を掛け渡し、このカバー取付金具３５のネジ孔３４と前記板状金具２７、２８の折曲縁２７ａ、２８ａに穿設されたネジ孔３６とを合致させ、これ等のネジ孔３４、３６にネジ３７を螺合させることによって配管カバー１４を配管１５に取付固定することが出来る。
【００４４】
【発明の効果】
本発明に係る配管カバーの取付構造は、前述のような構成と作用とを有するので、この取付構造を実施した場合には、次に例示するような多大な効果を得ることが出来る。
【００４５】
(1)建築物の外部に露出する配管部分に、配管カバーを取り付けることにより、その部分の意匠を良くすることが出来る。(2)配管カバーはネジの固定であるため、配管の点検・補修の際に、容易に取り外しが出来る。(3)配管カバーの側面には上下方向の長孔を設けたので、配管カバーの上下方向の位置調整が可能となる等の多大な効果を有している。
【００４６】
(4)配管の周りに取付金具をネジで挟持固定したので、ネジを締め付けるだけの取付作業となるため施工性が良い。またネジを化粧ネジ、蝶ボルト等にすれば工具を使用しないで取付が簡単に出来る。(5)取付金具は上下、または左右より挟み込む構造としたので、一種類の製品で様々な径の異なる配管に取付が出来る。従って、径の異なる配管毎に製品を用意することを要しない等の多くの効果を有している。
【００４７】
(6)取付金具の配管に接する部分をＵ型状或はＶ型状形成すると、配管に取付金具が良く座る。また、配管カバーの中心と配管の中心とがずれる心配がない。(7)配管にゆるみ止めネジを締め付けることにより、取付金具のゆるみ、がたつきを防止出来る。(8)配管または、取付金具のネジ孔の裏側にパイプ保護材を設けることにより、取付金具のネジ孔にゆるみ止めネジを締め付ける際に、ネジ先で配管を傷つけることはない等の多大な効果を有している。
【図面の簡単な説明】
【図１】  図１は本発明の第１実施例を示す斜視説明図である。
【図２】  図２は図１の取付金具の要部を示す斜視説明図である。
【図３】  図３は図１の一対の取付金具を示す斜視説明図である。
【図４】  図４は図３の一対の取付金具を組立てる状態の斜視説明図である。
【図５】  図５は図４の一対の取付金具を配管に強固に固定する状態の斜視説明図である。
【図６】  図６（ａ）、（ｂ）、（ｃ）は夫々配管カバーの斜視説明図である。
【図７】  図７（ａ）、（ｂ）、（ｃ）は夫々径の異なる配管の周りに第１実施例の一対の取付金具及び配管カバーを挟持固定した状態の斜視説明図である。
【図８】  図８（ａ）、（ｂ）は第２実施例の取付金具を示す斜視説明図である。
【図９】  図９（ａ）、（ｂ）、（ｃ）は図８の取付金具を径の異なる配管の周りに取付けた状態の断面説明図である。
【図１０】  図１０（ａ）、（ｂ）は第３実施例の取付金具を示す斜視説明図である。
【図１１】  図１１（ａ）、（ｂ）は図１０の取付金具を取付ける状態の説明図である。
【図１２】  図１２（ａ）、（ｂ）、（ｃ）は図１０の取付金具を径の異なる配管の周りに取付けた状態の断面説明図である。
【符号の説明】
１ …第１Ｕ型帯金具
２ …第２Ｕ型帯金具
３ …取付アングル
３ａ …引っ掛け爪
４ …取付アングル
４ａ …引っ掛け爪
５ …ネジ孔
５ａ …孔
６ …ネジ孔
７ …ネジ
８ …ネジ孔
９ …パイプ保護材
１０ …垂直片
１１ …ネジ孔
１２ …垂直起立片
１３ …孔
１４ …配管カバー
１５ …配管
１６ …ゆるみ止めネジ
１７ …取付穴
１８ …ゴム台座
１９ …ネジ
２０ …Ｕ型帯金具
２１ …Ｖ型帯金具
２１ａ…両端折曲部
２２ …ネジ孔
２３ …カバー取付部
２４ …ネジ孔
２５ …ネジ孔
２６ …ネジ
２７ …板状金具
２７ａ…折曲縁
２８ …板状金具
２８ａ…折曲縁
２９ …前記長穴
２９ …長孔
３０ …長ネジ穴
３１ …ナット
３２ …両端折曲部
３３ …ネジ孔
３４ …ネジ孔
３５ …カバー取付金具
３６ …ネジ孔
３７ …ネジ
【図１】
0004550979.tif 000002
【図２】
0004550979.tif 000003
【図３】
0004550979.tif 000004
【図４】
0004550979.tif 000005
【図５】
0004550979.tif 000006
【図６】
0004550979.tif 000007
【図７】
0004550979.tif 000008
【図８】
0004550979.tif 000009
【図９】
0004550979.tif 000010
【図１０】
0004550979.tif 000011
【図１１】
0004550979.tif 000012
【図１２】
0004550979.tif 000013